(57)【要約】【課題】生体特徴情報を記憶することなく生体認証を行うことができる生体認証装置および通信装置を提供する。【解決手段】通信装置１は、ユーザＵａの指紋を示す生体特徴情報が記憶される生体特徴情報記憶部１１と、電極１２と、生体特徴情報記憶部１１から読み出された生体特徴情報に応じた電気信号を電極１２に与える通信部１３とを備える。生体認証装置２は、通信装置１を所持するユーザの指先の指紋を示す生体特徴情報を得る指紋センサ２１と、指紋センサ２１に配置された指先に近接する電極２２と、この電極２２から得られる電気信号により生体特徴情報を復元する通信部２３と、通信部２３により復元された生体特徴情報と、指紋センサ２１で得られた生体特徴情報とを照合する生体特徴情報照合部２４とを備える。【選択図】図１
2007188232.tif 000002
【特許請求の範囲】
【請求項１】
生体を認証する生体認証装置の認証対象である生体に用いられる通信装置が、
生体の生体的特徴を示す生体特徴情報が記憶される生体特徴情報記憶手段と、
生体に接触または近接される電極と、
生体特徴情報に応じた電気信号を当該電極に与える通信手段とを備えるときの当該生体認証装置であって、
生体の生体部分が接触または近接されることとなる電極と、
この電極から得られる電気信号により生体特徴情報を復元する通信手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項２】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
生体特徴情報に応じた電気信号を当該電極に与える通信手段とを備えるときの当該生体認証装置であって、
前記生体部分が接触または近接されることとなる電極と、
この電極から得られる電気信号により生体特徴情報を復元する通信手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項３】
生体を認証する生体認証装置が、
認証対象である生体の生体部分が接触または近接されることとなる電極と、
この電極から得られる電気信号により生体の生体的特徴を示す生体特徴情報を復元する通信手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
生体特徴情報に応じた電気信号を当該電極に与える通信手段と
を備えることを特徴とする通信装置。
【請求項４】
生体を認証する生体認証装置が、
認証対象である生体の生体部分が接触または近接されることとなる電極と、
この電極から得られる電気信号により生体の生体的特徴を示す生体特徴情報を復元する通信手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
生体に接触または近接される電極と、
生体特徴情報に応じた電気信号を当該電極に与える通信手段と
を備えることを特徴とする通信装置。
【請求項５】
生体を認証する生体認証装置の認証対象である生体に用いられる通信装置が、
生体の生体的特徴を示す生体特徴情報が記憶される生体特徴情報記憶手段と、
生体に接触または近接される電極と、
公開鍵と秘密鍵が記憶される鍵記憶手段と、
秘密鍵を用いて生体特徴情報から電子署名を生成する電子署名生成手段と、
生体特徴情報に応じた電気信号、公開鍵に応じた電気信号、ならびに、電子署名に応じた電気信号を当該電極に与える通信手段とを備えるときの当該生体認証装置であって、
生体の生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項６】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
公開鍵と秘密鍵が記憶される鍵記憶手段と、
秘密鍵を用いて生体特徴情報から電子署名を生成する電子署名生成手段と、
生体特徴情報に応じた電気信号、公開鍵に応じた電気信号、ならびに、電子署名に応じた電気信号を当該電極に与える通信手段とを備えるときの当該生体認証装置であって、
前記生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項７】
生体を認証する生体認証装置が、
認証対象である生体の生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
公開鍵と秘密鍵が記憶される鍵記憶手段と、
秘密鍵を用いて生体特徴情報から電子署名を生成する電子署名生成手段と、
生体特徴情報に応じた電気信号、公開鍵に応じた電気信号、ならびに、電子署名に応じた電気信号を当該電極に与える通信手段と
を備えることを特徴とする通信装置。
【請求項８】
生体を認証する生体認証装置が、
認証対象である生体の生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
生体に接触または近接される電極と、
公開鍵と秘密鍵が記憶される鍵記憶手段と、
秘密鍵を用いて生体特徴情報から電子署名を生成する電子署名生成手段と、
生体特徴情報に応じた電気信号、公開鍵に応じた電気信号、ならびに、電子署名に応じた電気信号を当該電極に与える通信手段と
を備えることを特徴とする通信装置。
【請求項９】
生体を認証する生体認証装置の認証対象である生体に用いられる通信装置が、
生体の生体的特徴を示す生体特徴情報が記憶される生体特徴情報記憶手段と、
生体に接触または近接される電極と、
公開鍵が記憶される鍵記憶手段と、
公開鍵に対応する秘密鍵を用いて生体特徴情報から生成された電子署名が記憶される電子署名記憶手段と、
生体特徴情報に応じた電気信号、公開鍵に応じた電気信号、ならびに、電子署名に応じた電気信号を当該電極に与える通信手段とを備えるときの当該生体認証装置であって、
生体の生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項１０】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
公開鍵が記憶される鍵記憶手段と、
公開鍵に対応する秘密鍵を用いて生体特徴情報から生成された電子署名が記憶される電子署名記憶手段と、
生体特徴情報に応じた電気信号、公開鍵に応じた電気信号、ならびに、電子署名に応じた電気信号を当該電極に与える通信手段とを備えるときの当該生体認証装置であって、
前記生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項１１】
生体を認証する生体認証装置が、
認証対象である生体の生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
公開鍵が記憶される鍵記憶手段と、
公開鍵に対応する秘密鍵を用いて生体特徴情報から生成された電子署名が記憶される電子署名記憶手段と、
生体特徴情報に応じた電気信号、公開鍵に応じた電気信号、ならびに、電子署名に応じた電気信号を当該電極に与える通信手段と
を備えることを特徴とする通信装置。
【請求項１２】
生体を認証する生体認証装置が、
認証対象である生体の生体部分が接触または近接されることとなる電極と、
この電極から得られる電気信号により生体特徴情報、公開鍵、ならびに、電子署名を復元する通信手段と、
復元された公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
生体に接触または近接される電極と、
公開鍵が記憶される鍵記憶手段と、
公開鍵に対応する秘密鍵を用いて生体特徴情報から生成された電子署名が記憶される電子署名記憶手段と、
生体特徴情報に応じた電気信号、公開鍵に応じた電気信号、ならびに、電子署名に応じた電気信号を当該電極に与える通信手段と
を備えることを特徴とする通信装置。
【請求項１３】
生体を認証する生体認証装置の認証対象である生体に用いられる通信装置が、
生体の生体的特徴を示す生体特徴情報が記憶される生体特徴情報記憶手段と、
生体に接触または近接される電極と、
秘密鍵が記憶される鍵記憶手段と、
秘密鍵を用いて生体特徴情報から電子署名を生成する電子署名生成手段と、
生体特徴情報に応じた電気信号、ならびに、電子署名に応じた電気信号を当該電極に与える通信手段とを備えるときの当該生体認証装置であって、
生体の生体部分が接触または近接されることとなる電極と、
この電極から得られる電気信号により生体特徴情報、ならびに、電子署名を復元する通信手段と、
秘密鍵に対応する公開鍵が記憶される鍵記憶手段と、
公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項１４】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
秘密鍵が記憶される鍵記憶手段と、
秘密鍵を用いて生体特徴情報から電子署名を生成する電子署名生成手段と、
生体特徴情報に応じた電気信号、ならびに、電子署名に応じた電気信号を当該電極に与える通信手段とを備えるときの当該生体認証装置であって、
前記生体部分が接触または近接されることとなる電極と、
この電極から得られる電気信号により生体特徴情報、ならびに、電子署名を復元する通信手段と、
秘密鍵に対応する公開鍵が記憶される鍵記憶手段と、
公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項１５】
生体を認証する生体認証装置が、
認証対象である生体の生体部分が接触または近接されることとなる電極と、
この電極から得られる電気信号により生体特徴情報、ならびに、電子署名を復元する通信手段と、
公開鍵が記憶される鍵記憶手段と、
公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
公開鍵に対応する秘密鍵が記憶される鍵記憶手段と、
秘密鍵を用いて生体特徴情報から電子署名を生成する電子署名生成手段と、
生体特徴情報に応じた電気信号、ならびに、電子署名に応じた電気信号を当該電極に与える通信手段と
を備えることを特徴とする通信装置。
【請求項１６】
生体を認証する生体認証装置が、
認証対象である生体の生体部分が接触または近接されることとなる電極と、
この電極から得られる電気信号により生体特徴情報、ならびに、電子署名を復元する通信手段と、
公開鍵が記憶される鍵記憶手段と、
公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
生体に接触または近接される電極と、
公開鍵に対応する秘密鍵が記憶される鍵記憶手段と、
秘密鍵を用いて生体特徴情報から電子署名を生成する電子署名生成手段と、
生体特徴情報に応じた電気信号、ならびに、電子署名に応じた電気信号を当該電極に与える通信手段と
生体特徴情報に応じた電気信号を当該電極に与える通信手段と
を備えることを特徴とする通信装置。
【請求項１７】
生体を認証する生体認証装置の認証対象である生体に用いられる通信装置が、
生体の生体的特徴を示す生体特徴情報が記憶される生体特徴情報記憶手段と、
生体に接触または近接される電極と、
共通鍵が記憶される鍵記憶手段と、
共通鍵を用いて生体特徴情報から電子署名を生成する電子署名生成手段と、
生体特徴情報に応じた電気信号、ならびに、電子署名に応じた電気信号を当該電極に与える通信手段とを備えるときの当該生体認証装置であって、
生体の生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項１８】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
共通鍵が記憶される鍵記憶手段と、
共通鍵を用いて生体特徴情報から電子署名を生成する電子署名生成手段と、
生体特徴情報に応じた電気信号、ならびに、電子署名に応じた電気信号を当該電極に与える通信手段とを備えるときの当該生体認証装置であって、
前記生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項１９】
生体を認証する生体認証装置が、
認証対象である生体の生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
共通鍵が記憶される鍵記憶手段と、
共通鍵を用いて生体特徴情報から電子署名を生成する電子署名生成手段と、
生体特徴情報に応じた電気信号、ならびに、電子署名に応じた電気信号を当該電極に与える通信手段と
を備えることを特徴とする通信装置。
【請求項２０】
生体を認証する生体認証装置が、
認証対象である生体の生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
生体に接触または近接される電極と、
共通鍵が記憶される鍵記憶手段と、
共通鍵を用いて生体特徴情報から電子署名を生成する電子署名生成手段と、
生体特徴情報に応じた電気信号、ならびに、電子署名に応じた電気信号を当該電極に与える通信手段と
生体特徴情報に応じた電気信号を当該電極に与える通信手段と
を備えることを特徴とする通信装置。
【請求項２１】
生体を認証する生体認証装置の認証対象である生体に用いられる通信装置が、
生体の生体的特徴を示す生体特徴情報が記憶される生体特徴情報記憶手段と、
生体に接触または近接される電極と、
共通鍵を用いて生体特徴情報から生成された電子署名が記憶される電子署名記憶手段と、
生体特徴情報に応じた電気信号、ならびに、電子署名に応じた電気信号を当該電極に与える通信手段とを備えるときの当該生体認証装置であって、
生体の生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項２２】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
共通鍵を用いて生体特徴情報から生成された電子署名が記憶される電子署名記憶手段と、
生体特徴情報に応じた電気信号、ならびに、電子署名に応じた電気信号を当該電極に与える通信手段とを備えるときの当該生体認証装置であって、
前記生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項２３】
生体を認証する生体認証装置が、
認証対象である生体の生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
共通鍵を用いて生体特徴情報から生成された電子署名が記憶される電子署名記憶手段と、
生体特徴情報に応じた電気信号、ならびに、電子署名に応じた電気信号を当該電極に与える通信手段と
を備えることを特徴とする通信装置。
【請求項２４】
生体を認証する生体認証装置が、
認証対象である生体の生体部分が接触または近接されることとなる電極と、
この電極から得られる電気信号により生体特徴情報、ならびに、電子署名を復元する通信手段と、
共通鍵が記憶される鍵記憶手段と、
共通鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
生体に接触または近接される電極と、
共通鍵を用いて生体特徴情報から生成された電子署名が記憶される電子署名記憶手段と、
生体特徴情報に応じた電気信号、ならびに、電子署名に応じた電気信号を当該電極に与える通信手段と
生体特徴情報に応じた電気信号を当該電極に与える通信手段と
を備えることを特徴とする通信装置。
【請求項２５】
生体を認証する生体認証装置の認証対象である生体に用いられる通信装置が、
生体の生体的特徴を示す生体特徴情報が記憶される生体特徴情報記憶手段と、
生体に接触または近接される電極と、
公開鍵を含む公開鍵証明書が記憶される公開鍵証明書記憶手段と、
公開鍵に対応する秘密鍵が記憶される鍵記憶手段と、
秘密鍵を用いて生体特徴情報から電子署名を生成する電子署名生成手段と、
生体特徴情報に応じた電気信号、公開鍵証明書に応じた電気信号、ならびに、電子署名に応じた電気信号を当該電極に与える通信手段とを備えるときの当該生体認証装置であって、
生体の生体部分が接触または近接されることとなる電極と、
この電極から得られる電気信号により生体特徴情報、公開鍵証明書、ならびに、電子署名を復元する通信手段と、
復元された公開鍵証明書の中の認証局の電子署名が当該公開鍵証明書の中の公開鍵を含む部分によるものか否かを判定する電子署名検証手段と、
復元された公開鍵証明書に含まれた公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項２６】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
公開鍵を含む公開鍵証明書が記憶される公開鍵証明書記憶手段と、
公開鍵に対応する秘密鍵が記憶される鍵記憶手段と、
秘密鍵を用いて生体特徴情報から電子署名を生成する電子署名生成手段と、
生体特徴情報に応じた電気信号、公開鍵証明書に応じた電気信号、ならびに、電子署名に応じた電気信号を当該電極に与える通信手段とを備えるときの当該生体認証装置であって、
前記生体部分が接触または近接されることとなる電極と、
この電極から得られる電気信号により生体特徴情報、公開鍵証明書、ならびに、電子署名を復元する通信手段と、
復元された公開鍵証明書の中の認証局の電子署名が当該公開鍵証明書の中の公開鍵を含む部分によるものか否かを判定する電子署名検証手段と、
復元された公開鍵証明書に含まれた公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項２７】
生体を認証する生体認証装置が、
認証対象である生体の生体部分が接触または近接されることとなる電極と、
この電極から得られる電気信号により生体特徴情報、公開鍵証明書、ならびに、電子署名を復元する通信手段と、
復元された公開鍵証明書の中の認証局の電子署名が当該公開鍵証明書の中の公開鍵を含む部分によるものか否かを判定する電子署名検証手段と、
復元された公開鍵証明書に含まれた公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
公開鍵を含む公開鍵証明書が記憶される公開鍵証明書記憶手段と、
公開鍵に対応する秘密鍵が記憶される鍵記憶手段と、
秘密鍵を用いて生体特徴情報から電子署名を生成する電子署名生成手段と、
生体特徴情報に応じた電気信号、公開鍵証明書に応じた電気信号、ならびに、電子署名に応じた電気信号を当該電極に与える通信手段と
を備えることを特徴とする通信装置。
【請求項２８】
生体を認証する生体認証装置が、
認証対象である生体の生体部分が接触または近接されることとなる電極と、
この電極から得られる電気信号により生体特徴情報、公開鍵証明書、ならびに、電子署名を復元する通信手段と、
復元された公開鍵証明書の中の認証局の電子署名が当該公開鍵証明書の中の公開鍵を含む部分によるものか否かを判定する電子署名検証手段と、
復元された公開鍵証明書に含まれた公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
公開鍵を含む公開鍵証明書が記憶される公開鍵証明書記憶手段と、
公開鍵に対応する秘密鍵が記憶される鍵記憶手段と、
秘密鍵を用いて生体特徴情報から電子署名を生成する電子署名生成手段と、
生体特徴情報に応じた電気信号、公開鍵証明書に応じた電気信号、ならびに、電子署名に応じた電気信号を当該電極に与える通信手段と
を備えることを特徴とする通信装置。
【請求項２９】
生体を認証する生体認証装置の認証対象である生体に用いられる通信装置が、
生体の生体的特徴を示す生体特徴情報が記憶される生体特徴情報記憶手段と、
生体に接触または近接される電極と、
秘密鍵を用いて生体特徴情報から生成された電子署名が記憶される電子署名記憶手段と、
生体特徴情報に応じた電気信号、ならびに、電子署名に応じた電気信号を当該電極に与える通信手段とを備えるときの当該生体認証装置であって、
生体の生体部分が接触または近接されることとなる電極と、
この電極から得られる電気信号により生体特徴情報、ならびに、電子署名を復元する通信手段と、
秘密鍵に対応する公開鍵が記憶される鍵記憶手段と、
公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えることを特徴とする生体認証装置。
【請求項３０】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
秘密鍵を用いて生体特徴情報から生成された電子署名が記憶される電子署名記憶手段と、
生体特徴情報に応じた電気信号、ならびに、電子署名に応じた電気信号を当該電極に与える通信手段とを備えるときの当該生体認証装置であって、
前記生体部分が接触または近接されることとなる電極と、
この電極から得られる電気信号により生体特徴情報、ならびに、電子署名を復元する通信手段と、
秘密鍵に対応する公開鍵が記憶される鍵記憶手段と、
公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えることを特徴とする生体認証装置。
【請求項３１】
生体を認証する生体認証装置が、
認証対象である生体の生体部分が接触または近接されることとなる電極と、
この電極から得られる電気信号により生体特徴情報、ならびに、電子署名を復元する通信手段と、
公開鍵が記憶される鍵記憶手段と、
公開鍵を用いて、復元された電子署名が、復元された生体特徴情報によるものか否かを判定する電子署名検証手段と、
生体の生体的特徴を示す生体特徴情報を生体から直接的に得る生体特徴情報取得手段と、
復元された生体特徴情報と、得られた生体特徴情報とを照合する生体特徴情報照合手段と
を備えるときの当該生体に用いられる通信装置であって、
生体の生体的特徴を示す生体特徴情報が記憶される生体特徴情報記憶手段と、
生体に接触または近接される電極と、
公開鍵に対応する秘密鍵を用いて生体特徴情報から生成された電子署名が記憶される電子署名記憶手段と、
生体特徴情報に応じた電気信号、ならびに、電子署名に応じた電気信号を当該電極に与える通信手段と
を備えることを特徴とする通信装置。
【請求項３２】
生体を認証する生体認証装置が、
認証対象である生体の生体部分が接触または近接されることとなる電極と、
この電極から得られる電気信号により生体特徴情報、ならびに、電子署名を復元する通信手段と、
公開鍵が記憶される鍵記憶手段と、
公開鍵を用いて、復元された電子署名が、復元された生体特徴情報によるものか否かを判定する電子署名検証手段と、
生体特徴情報を当該生体部分から得る生体特徴情報取得手段と、
復元された生体特徴情報と、得られた生体特徴情報とを照合する生体特徴情報照合手段と
を備えるときの当該生体に用いられる通信装置であって、
前記生体部分の生体的特徴を示す生体特徴情報が記憶される生体特徴情報記憶手段と、
生体に接触または近接される電極と、
公開鍵に対応する秘密鍵を用いて生体特徴情報から生成された電子署名が記憶される電子署名記憶手段と、
生体特徴情報に応じた電気信号、ならびに、電子署名に応じた電気信号を当該電極に与える通信手段と
生体特徴情報に応じた電気信号を当該電極に与える通信手段と
を備えることを特徴とする通信装置。
【請求項３３】
生体を認証する生体認証装置の認証対象である生体に用いられる通信装置が、
生体の生体的特徴を示す生体特徴情報が記憶される生体特徴情報記憶手段と、
生体に接触または近接される電極と、
増減前の電子マネーが記憶される電子マネー管理手段と、
生体特徴情報に応じた電気信号、ならびに、増減前の電子マネーに応じた電気信号を当該電極に与える通信手段とを備え、
当該通信手段は、当該電極から得られる電気信号により増減後の電子マネーを復元し、  電子マネー管理手段が、増減前の電子マネーを、増減後の電子マネーに置き換えるときの当該生体認証装置であって、
生体の生体部分が接触または近接されることとなる電極と、
この電極から得られる電気信号により生体特徴情報、ならびに、増減前の電子マネーを復元する通信手段と、
生体の生体的特徴を示す生体特徴情報を生体から直接的に得る生体特徴情報取得手段と、
復元された生体特徴情報と、得られた生体特徴情報とを照合する生体特徴情報照合手段と、
生体特徴情報同士が一致した場合、増減前の電子マネーを増減させる電子マネー処理手段と
を備え、
当該通信手段は、増減後の電子マネーに応じた電気信号を当該電極に与える
ことを備えることを特徴とする生体認証装置。
【請求項３４】
生体を認証する生体認証装置の認証対象である生体に用いられる通信装置が、
生体認証装置に設けられた電極に接触または近接されることとなる生体部分の生体的特徴を示す生体特徴情報が記憶される生体特徴情報記憶手段と、
生体に接触または近接される電極と、
増減前の電子マネーが記憶される電子マネー管理手段と、
生体特徴情報に応じた電気信号、ならびに、増減前の電子マネーに応じた電気信号を当該電極に与える通信手段とを備え、
当該通信手段は、当該電極から得られる電気信号により増減後の電子マネーを復元し、
電子マネー管理手段が、増減前の電子マネーを、増減後の電子マネーに置き換えるときの当該生体認証装置であって、
前記生体部分が接触または近接されることとなる電極と、
この電極から得られる電気信号により生体特徴情報、ならびに、増減前の電子マネーを復元する通信手段と、
生体特徴情報を当該生体部分から得る生体特徴情報取得手段と、
復元された生体特徴情報と、得られた生体特徴情報とを照合する生体特徴情報照合手段と、
生体特徴情報同士が一致した場合、増減前の電子マネーを増減させる電子マネー処理手段と
を備え、
当該通信手段は、増減後の電子マネーに応じた電気信号を当該電極に与える
を備えることを特徴とする生体認証装置。
【請求項３５】
生体を認証する生体認証装置が、
認証対象である生体の生体部分が接触または近接されることとなる電極と、
この電極から得られる電気信号により生体の生体的特徴を示す生体特徴情報、ならびに、増減前の電子マネーを復元する通信手段と、
生体の生体的特徴を示す生体特徴情報を生体から直接的に得る生体特徴情報取得手段と、
復元された生体特徴情報と、得られた生体特徴情報とを照合する生体特徴情報照合手段と、
生体特徴情報同士が一致した場合、増減前の電子マネーを増減させる電子マネー処理手段と
を備え、
当該通信手段は、増減後の電子マネーに応じた電気信号を当該電極に与えるときの当該生体に用いられる通信装置であって、
生体の生体的特徴を示す生体特徴情報が記憶される生体特徴情報記憶手段と、
生体に接触または近接される電極と、
増減前の電子マネーが記憶される電子マネー管理手段と、
生体特徴情報に応じた電気信号、ならびに、増減前の電子マネーに応じた電気信号を当該電極に与える通信手段と
を備え、
当該通信手段は、当該電極から得られる電気信号により増減後の電子マネーを復元し、
電子マネー管理手段が、増減前の電子マネーを、増減後の電子マネーに置き換える
ことを特徴とする通信装置。
【請求項３６】
生体を認証する生体認証装置が、
認証対象である生体の生体部分が接触または近接されることとなる電極と、
この電極から得られる電気信号により生体の生体的特徴を示す生体特徴情報、ならびに、増減前の電子マネーを復元する通信手段と、
生体特徴情報を当該生体部分から得る生体特徴情報取得手段と、
復元された生体特徴情報と、得られた生体特徴情報とを照合する生体特徴情報照合手段と、
生体特徴情報同士が一致した場合、増減前の電子マネーを増減させる電子マネー処理手段と
を備え、
当該通信手段は、増減後の電子マネーに応じた電気信号を当該電極に与えるときの当該生体に用いられる通信装置であって、
前記生体部分の生体的特徴を示す生体特徴情報が記憶される生体特徴情報記憶手段と、
生体に接触または近接される電極と、
増減前の電子マネーが記憶される電子マネー管理手段と、
生体特徴情報に応じた電気信号、ならびに、増減前の電子マネーに応じた電気信号を当該電極に与える通信手段と
を備え、
当該通信手段は、当該電極から得られる電気信号により増減後の電子マネーを復元し、
電子マネー管理手段が、増減前の電子マネーを、増減後の電子マネーに置き換える
ことを特徴とする通信装置。
【請求項３７】
請求項１、２、５、６、９、１０、１３、１４、１７、１８、２１、２２、２５、２６、２９、３０、３３、３４のいずれかに記載の生体認証装置において、
通信手段は、電極から得られる電気信号である電圧に応じた電界が印加されている電気光学結晶に光を入射し、偏光板により電気光学結晶からの偏光変調光を強度変調光に変換し、光検出器により強度変調光を電気信号に変換することによって、生体特徴情報を復元することを特徴とする生体認証装置。
【発明の詳細な説明】
【技術分野】
【０００１】
本発明は、生体特徴情報を記憶することなく生体認証を行うことができる生体認証装置およびその生体認証装置とともに用いる通信装置に関する。
【背景技術】
【０００２】
生体認証は、例えば、正当なユーザだけのためにドアを解錠させるような場合に行われる。
【０００３】
図６は、従来の生体認証を説明するための図である。
【０００４】
従来の生体認証では、事前に、正当なユーザＵａの指紋を示す生体特徴情報ＦＰａが指紋センサ２１Ａにより取得され、この生体特徴情報ＦＰａが情報記憶装置３に一旦保持され、その後、生体認証装置２０の生体特徴情報記憶部１１Ａに記憶される。
【０００５】
ユーザＵａとは限らないユーザＵが、ドアを解錠をさせるべく、指先を指紋センサ２１に置くと、指紋センサ２１は、その指先の指紋を示す生体特徴情報を取得し、これを生体特徴情報照合部２４に与える。
【０００６】
次に、生体特徴情報照合部２４は、生体特徴情報記憶部１１Ａに記憶された生体特徴情報ＦＰａと、指紋センサ２１で得られた生体特徴情報とを照合する。そして、生体特徴情報同士が一致したときに限り、つまり、ユーザＵがユーザＵａであったときに限り、生体特徴情報照合部２４は、図示しないドア制御装置に、ドアを解錠させる信号を与える。これにより、ドアの解錠がなされる。
【特許文献１】特許第３５８９５７９号明細書
【発明の開示】
【発明が解決しようとする課題】
【０００７】
しかしながら、生体認証装置２０では、生体認証を行うことができるものの、認証対象となるユーザＵの生体特徴情報を生体認証装置２０が保持する必要がある。また、生体認証装置２０は第三者が管理することが多く、第三者の管理意識は、ユーザの管理意識よりも低いことがあり、生体特徴情報の漏洩、盗難、紛失などが危惧される。また、ユーザの中には、生体特徴情報を生体の一部と考え、それが生体認証装置に保持されることを生理的に嫌うものもある。
【０００８】
本発明は、上記の課題に鑑みてなされたものであり、その目的とするところは、生体特徴情報を記憶することなく生体認証を行うことができる生体認証装置およびその生体認証装置とともに用いる通信装置を提供することにある。
【課題を解決するための手段】
【０００９】
上記の課題を解決するために、請求項１の本発明は、生体を認証する生体認証装置の認証対象である生体に用いられる通信装置が、生体の生体的特徴を示す生体特徴情報が記憶される生体特徴情報記憶手段と、生体に接触または近接される電極と、生体特徴情報に応じた電気信号を当該電極に与える通信手段とを備えるときの当該生体認証装置であって、生体の生体部分が接触または近接されることとなる電極と、この電極から得られる電気信号により生体特徴情報を復元する通信手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００１０】
請求項２の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、生体特徴情報に応じた電気信号を当該電極に与える通信手段とを備えるときの当該生体認証装置であって、前記生体部分が接触または近接されることとなる電極と、この電極から得られる電気信号により生体特徴情報を復元する通信手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００１１】
請求項３の本発明は、生体を認証する生体認証装置が、認証対象である生体の生体部分が接触または近接されることとなる電極と、この電極から得られる電気信号により生体の生体的特徴を示す生体特徴情報を復元する通信手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、生体特徴情報に応じた電気信号を当該電極に与える通信手段とを備えることを特徴とする通信装置をもって解決手段とする。
【００１２】
請求項４の本発明は、生体を認証する生体認証装置が、認証対象である生体の生体部分が接触または近接されることとなる電極と、この電極から得られる電気信号により生体の生体的特徴を示す生体特徴情報を復元する通信手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、生体に接触または近接される電極と、生体特徴情報に応じた電気信号を当該電極に与える通信手段とを備えることを特徴とする通信装置をもって解決手段とする。
【００１３】
請求項５の本発明は、生体を認証する生体認証装置の認証対象である生体に用いられる通信装置が、生体の生体的特徴を示す生体特徴情報が記憶される生体特徴情報記憶手段と、生体に接触または近接される電極と、公開鍵と秘密鍵が記憶される鍵記憶手段と、秘密鍵を用いて生体特徴情報から電子署名を生成する電子署名生成手段と、生体特徴情報に応じた電気信号、公開鍵に応じた電気信号、ならびに、電子署名に応じた電気信号を当該電極に与える通信手段とを備えるときの当該生体認証装置であって、生体の生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００１４】
請求項６の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、公開鍵と秘密鍵が記憶される鍵記憶手段と、秘密鍵を用いて生体特徴情報から電子署名を生成する電子署名生成手段と、生体特徴情報に応じた電気信号、公開鍵に応じた電気信号、ならびに、電子署名に応じた電気信号を当該電極に与える通信手段とを備えるときの当該生体認証装置であって、前記生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００１５】
請求項７の本発明は、生体を認証する生体認証装置が、認証対象である生体の生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、公開鍵と秘密鍵が記憶される鍵記憶手段と、秘密鍵を用いて生体特徴情報から電子署名を生成する電子署名生成手段と、生体特徴情報に応じた電気信号、公開鍵に応じた電気信号、ならびに、電子署名に応じた電気信号を当該電極に与える通信手段とを備えることを特徴とする通信装置をもって解決手段とする。
【００１６】
請求項８の本発明は、生体を認証する生体認証装置が、認証対象である生体の生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、生体に接触または近接される電極と、公開鍵と秘密鍵が記憶される鍵記憶手段と、秘密鍵を用いて生体特徴情報から電子署名を生成する電子署名生成手段と、生体特徴情報に応じた電気信号、公開鍵に応じた電気信号、ならびに、電子署名に応じた電気信号を当該電極に与える通信手段とを備えることを特徴とする通信装置をもって解決手段とする。
【００１７】
請求項９の本発明は、生体を認証する生体認証装置の認証対象である生体に用いられる通信装置が、生体の生体的特徴を示す生体特徴情報が記憶される生体特徴情報記憶手段と、生体に接触または近接される電極と、公開鍵が記憶される鍵記憶手段と、公開鍵に対応する秘密鍵を用いて生体特徴情報から生成された電子署名が記憶される電子署名記憶手段と、生体特徴情報に応じた電気信号、公開鍵に応じた電気信号、ならびに、電子署名に応じた電気信号を当該電極に与える通信手段とを備えるときの当該生体認証装置であって、生体の生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００１８】
請求項１０の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、公開鍵が記憶される鍵記憶手段と、公開鍵に対応する秘密鍵を用いて生体特徴情報から生成された電子署名が記憶される電子署名記憶手段と、生体特徴情報に応じた電気信号、公開鍵に応じた電気信号、ならびに、電子署名に応じた電気信号を当該電極に与える通信手段とを備えるときの当該生体認証装置であって、前記生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００１９】
請求項１１の本発明は、生体を認証する生体認証装置が、認証対象である生体の生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、公開鍵が記憶される鍵記憶手段と、公開鍵に対応する秘密鍵を用いて生体特徴情報から生成された電子署名が記憶される電子署名記憶手段と、生体特徴情報に応じた電気信号、公開鍵に応じた電気信号、ならびに、電子署名に応じた電気信号を当該電極に与える通信手段とを備えることを特徴とする通信装置をもって解決手段とする。
【００２０】
請求項１２の本発明は、生体を認証する生体認証装置が、認証対象である生体の生体部分が接触または近接されることとなる電極と、この電極から得られる電気信号により生体特徴情報、公開鍵、ならびに、電子署名を復元する通信手段と、復元された公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、生体に接触または近接される電極と、公開鍵が記憶される鍵記憶手段と、公開鍵に対応する秘密鍵を用いて生体特徴情報から生成された電子署名が記憶される電子署名記憶手段と、生体特徴情報に応じた電気信号、公開鍵に応じた電気信号、ならびに、電子署名に応じた電気信号を当該電極に与える通信手段とを備えることを特徴とする通信装置をもって解決手段とする。
【００２１】
請求項１３の本発明は、生体を認証する生体認証装置の認証対象である生体に用いられる通信装置が、生体の生体的特徴を示す生体特徴情報が記憶される生体特徴情報記憶手段と、生体に接触または近接される電極と、秘密鍵が記憶される鍵記憶手段と、秘密鍵を用いて生体特徴情報から電子署名を生成する電子署名生成手段と、生体特徴情報に応じた電気信号、ならびに、電子署名に応じた電気信号を当該電極に与える通信手段とを備えるときの当該生体認証装置であって、生体の生体部分が接触または近接されることとなる電極と、この電極から得られる電気信号により生体特徴情報、ならびに、電子署名を復元する通信手段と、秘密鍵に対応する公開鍵が記憶される鍵記憶手段と、公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００２２】
請求項１４の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、秘密鍵が記憶される鍵記憶手段と、秘密鍵を用いて生体特徴情報から電子署名を生成する電子署名生成手段と、生体特徴情報に応じた電気信号、ならびに、電子署名に応じた電気信号を当該電極に与える通信手段とを備えるときの当該生体認証装置であって、前記生体部分が接触または近接されることとなる電極と、この電極から得られる電気信号により生体特徴情報、ならびに、電子署名を復元する通信手段と、秘密鍵に対応する公開鍵が記憶される鍵記憶手段と、公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００２３】
請求項１５の本発明は、生体を認証する生体認証装置が、認証対象である生体の生体部分が接触または近接されることとなる電極と、この電極から得られる電気信号により生体特徴情報、ならびに、電子署名を復元する通信手段と、公開鍵が記憶される鍵記憶手段と、公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、公開鍵に対応する秘密鍵が記憶される鍵記憶手段と、秘密鍵を用いて生体特徴情報から電子署名を生成する電子署名生成手段と、生体特徴情報に応じた電気信号、ならびに、電子署名に応じた電気信号を当該電極に与える通信手段とを備えることを特徴とする通信装置をもって解決手段とする。
【００２４】
請求項１６の本発明は、生体を認証する生体認証装置が、認証対象である生体の生体部分が接触または近接されることとなる電極と、この電極から得られる電気信号により生体特徴情報、ならびに、電子署名を復元する通信手段と、公開鍵が記憶される鍵記憶手段と、公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、生体に接触または近接される電極と、公開鍵に対応する秘密鍵が記憶される鍵記憶手段と、秘密鍵を用いて生体特徴情報から電子署名を生成する電子署名生成手段と、生体特徴情報に応じた電気信号、ならびに、電子署名に応じた電気信号を当該電極に与える通信手段と生体特徴情報に応じた電気信号を当該電極に与える通信手段とを備えることを特徴とする通信装置をもって解決手段とする。
【００２５】
請求項１７の本発明は、生体を認証する生体認証装置の認証対象である生体に用いられる通信装置が、生体の生体的特徴を示す生体特徴情報が記憶される生体特徴情報記憶手段と、生体に接触または近接される電極と、共通鍵が記憶される鍵記憶手段と、共通鍵を用いて生体特徴情報から電子署名を生成する電子署名生成手段と、生体特徴情報に応じた電気信号、ならびに、電子署名に応じた電気信号を当該電極に与える通信手段とを備えるときの当該生体認証装置であって、生体の生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００２６】
請求項１８の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、共通鍵が記憶される鍵記憶手段と、共通鍵を用いて生体特徴情報から電子署名を生成する電子署名生成手段と、生体特徴情報に応じた電気信号、ならびに、電子署名に応じた電気信号を当該電極に与える通信手段とを備えるときの当該生体認証装置であって、前記生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００２７】
請求項１９の本発明は、生体を認証する生体認証装置が、認証対象である生体の生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、共通鍵が記憶される鍵記憶手段と、共通鍵を用いて生体特徴情報から電子署名を生成する電子署名生成手段と、生体特徴情報に応じた電気信号、ならびに、電子署名に応じた電気信号を当該電極に与える通信手段とを備えることを特徴とする通信装置をもって解決手段とする。
【００２８】
請求項２０の本発明は、生体を認証する生体認証装置が、認証対象である生体の生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、生体に接触または近接される電極と、共通鍵が記憶される鍵記憶手段と、共通鍵を用いて生体特徴情報から電子署名を生成する電子署名生成手段と、生体特徴情報に応じた電気信号、ならびに、電子署名に応じた電気信号を当該電極に与える通信手段と生体特徴情報に応じた電気信号を当該電極に与える通信手段とを備えることを特徴とする通信装置をもって解決手段とする。
【００２９】
請求項２１の本発明は、生体を認証する生体認証装置の認証対象である生体に用いられる通信装置が、生体の生体的特徴を示す生体特徴情報が記憶される生体特徴情報記憶手段と、生体に接触または近接される電極と、共通鍵を用いて生体特徴情報から生成された電子署名が記憶される電子署名記憶手段と、生体特徴情報に応じた電気信号、ならびに、電子署名に応じた電気信号を当該電極に与える通信手段とを備えるときの当該生体認証装置であって、生体の生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００３０】
請求項２２の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、共通鍵を用いて生体特徴情報から生成された電子署名が記憶される電子署名記憶手段と、生体特徴情報に応じた電気信号、ならびに、電子署名に応じた電気信号を当該電極に与える通信手段とを備えるときの当該生体認証装置であって、前記生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００３１】
請求項２３の本発明は、生体を認証する生体認証装置が、認証対象である生体の生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、共通鍵を用いて生体特徴情報から生成された電子署名が記憶される電子署名記憶手段と、生体特徴情報に応じた電気信号、ならびに、電子署名に応じた電気信号を当該電極に与える通信手段とを備えることを特徴とする通信装置をもって解決手段とする。
【００３２】
請求項２４の本発明は、生体を認証する生体認証装置が、認証対象である生体の生体部分が接触または近接されることとなる電極と、この電極から得られる電気信号により生体特徴情報、ならびに、電子署名を復元する通信手段と、共通鍵が記憶される鍵記憶手段と、共通鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、生体に接触または近接される電極と、共通鍵を用いて生体特徴情報から生成された電子署名が記憶される電子署名記憶手段と、生体特徴情報に応じた電気信号、ならびに、電子署名に応じた電気信号を当該電極に与える通信手段と生体特徴情報に応じた電気信号を当該電極に与える通信手段とを備えることを特徴とする通信装置をもって解決手段とする。
【００３３】
請求項２５の本発明は、生体を認証する生体認証装置の認証対象である生体に用いられる通信装置が、生体の生体的特徴を示す生体特徴情報が記憶される生体特徴情報記憶手段と、生体に接触または近接される電極と、公開鍵を含む公開鍵証明書が記憶される公開鍵証明書記憶手段と、公開鍵に対応する秘密鍵が記憶される鍵記憶手段と、秘密鍵を用いて生体特徴情報から電子署名を生成する電子署名生成手段と、生体特徴情報に応じた電気信号、公開鍵証明書に応じた電気信号、ならびに、電子署名に応じた電気信号を当該電極に与える通信手段とを備えるときの当該生体認証装置であって、生体の生体部分が接触または近接されることとなる電極と、この電極から得られる電気信号により生体特徴情報、公開鍵証明書、ならびに、電子署名を復元する通信手段と、復元された公開鍵証明書の中の認証局の電子署名が当該公開鍵証明書の中の公開鍵を含む部分によるものか否かを判定する電子署名検証手段と、復元された公開鍵証明書に含まれた公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００３４】
請求項２６の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、公開鍵を含む公開鍵証明書が記憶される公開鍵証明書記憶手段と、公開鍵に対応する秘密鍵が記憶される鍵記憶手段と、秘密鍵を用いて生体特徴情報から電子署名を生成する電子署名生成手段と、生体特徴情報に応じた電気信号、公開鍵証明書に応じた電気信号、ならびに、電子署名に応じた電気信号を当該電極に与える通信手段とを備えるときの当該生体認証装置であって、前記生体部分が接触または近接されることとなる電極と、この電極から得られる電気信号により生体特徴情報、公開鍵証明書、ならびに、電子署名を復元する通信手段と、復元された公開鍵証明書の中の認証局の電子署名が当該公開鍵証明書の中の公開鍵を含む部分によるものか否かを判定する電子署名検証手段と、復元された公開鍵証明書に含まれた公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００３５】
請求項２７の本発明は、生体を認証する生体認証装置が、認証対象である生体の生体部分が接触または近接されることとなる電極と、この電極から得られる電気信号により生体特徴情報、公開鍵証明書、ならびに、電子署名を復元する通信手段と、復元された公開鍵証明書の中の認証局の電子署名が当該公開鍵証明書の中の公開鍵を含む部分によるものか否かを判定する電子署名検証手段と、復元された公開鍵証明書に含まれた公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、公開鍵を含む公開鍵証明書が記憶される公開鍵証明書記憶手段と、公開鍵に対応する秘密鍵が記憶される鍵記憶手段と、秘密鍵を用いて生体特徴情報から電子署名を生成する電子署名生成手段と、生体特徴情報に応じた電気信号、公開鍵証明書に応じた電気信号、ならびに、電子署名に応じた電気信号を当該電極に与える通信手段とを備えることを特徴とする通信装置をもって解決手段とする。
【００３６】
請求項２８の本発明は、生体を認証する生体認証装置が、認証対象である生体の生体部分が接触または近接されることとなる電極と、この電極から得られる電気信号により生体特徴情報、公開鍵証明書、ならびに、電子署名を復元する通信手段と、復元された公開鍵証明書の中の認証局の電子署名が当該公開鍵証明書の中の公開鍵を含む部分によるものか否かを判定する電子署名検証手段と、復元された公開鍵証明書に含まれた公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、公開鍵を含む公開鍵証明書が記憶される公開鍵証明書記憶手段と、公開鍵に対応する秘密鍵が記憶される鍵記憶手段と、秘密鍵を用いて生体特徴情報から電子署名を生成する電子署名生成手段と、生体特徴情報に応じた電気信号、公開鍵証明書に応じた電気信号、ならびに、電子署名に応じた電気信号を当該電極に与える通信手段とを備えることを特徴とする通信装置をもって解決手段とする。
【００３７】
請求項２９の本発明は、生体を認証する生体認証装置の認証対象である生体に用いられる通信装置が、生体の生体的特徴を示す生体特徴情報が記憶される生体特徴情報記憶手段と、生体に接触または近接される電極と、秘密鍵を用いて生体特徴情報から生成された電子署名が記憶される電子署名記憶手段と、生体特徴情報に応じた電気信号、ならびに、電子署名に応じた電気信号を当該電極に与える通信手段とを備えるときの当該生体認証装置であって、生体の生体部分が接触または近接されることとなる電極と、この電極から得られる電気信号により生体特徴情報、ならびに、電子署名を復元する通信手段と、秘密鍵に対応する公開鍵が記憶される鍵記憶手段と、公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えることを特徴とする生体認証装置をもって解決手段とする。
【００３８】
請求項３０の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、秘密鍵を用いて生体特徴情報から生成された電子署名が記憶される電子署名記憶手段と、生体特徴情報に応じた電気信号、ならびに、電子署名に応じた電気信号を当該電極に与える通信手段とを備えるときの当該生体認証装置であって、前記生体部分が接触または近接されることとなる電極と、この電極から得られる電気信号により生体特徴情報、ならびに、電子署名を復元する通信手段と、秘密鍵に対応する公開鍵が記憶される鍵記憶手段と、公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えることを特徴とする生体認証装置をもって解決手段とする。
【００３９】
請求項３１の本発明は、生体を認証する生体認証装置が、認証対象である生体の生体部分が接触または近接されることとなる電極と、この電極から得られる電気信号により生体特徴情報、ならびに、電子署名を復元する通信手段と、公開鍵が記憶される鍵記憶手段と、公開鍵を用いて、復元された電子署名が、復元された生体特徴情報によるものか否かを判定する電子署名検証手段と、生体の生体的特徴を示す生体特徴情報を生体から直接的に得る生体特徴情報取得手段と、復元された生体特徴情報と、得られた生体特徴情報とを照合する生体特徴情報照合手段とを備えるときの当該生体に用いられる通信装置であって、生体の生体的特徴を示す生体特徴情報が記憶される生体特徴情報記憶手段と、生体に接触または近接される電極と、公開鍵に対応する秘密鍵を用いて生体特徴情報から生成された電子署名が記憶される電子署名記憶手段と、生体特徴情報に応じた電気信号、ならびに、電子署名に応じた電気信号を当該電極に与える通信手段とを備えることを特徴とする通信装置をもって解決手段とする。
【００４０】
請求項３２の本発明は、生体を認証する生体認証装置が、認証対象である生体の生体部分が接触または近接されることとなる電極と、この電極から得られる電気信号により生体特徴情報、ならびに、電子署名を復元する通信手段と、公開鍵が記憶される鍵記憶手段と、公開鍵を用いて、復元された電子署名が、復元された生体特徴情報によるものか否かを判定する電子署名検証手段と、生体特徴情報を当該生体部分から得る生体特徴情報取得手段と、復元された生体特徴情報と、得られた生体特徴情報とを照合する生体特徴情報照合手段とを備えるときの当該生体に用いられる通信装置であって、前記生体部分の生体的特徴を示す生体特徴情報が記憶される生体特徴情報記憶手段と、生体に接触または近接される電極と、公開鍵に対応する秘密鍵を用いて生体特徴情報から生成された電子署名が記憶される電子署名記憶手段と、生体特徴情報に応じた電気信号、ならびに、電子署名に応じた電気信号を当該電極に与える通信手段と生体特徴情報に応じた電気信号を当該電極に与える通信手段とを備えることを特徴とする通信装置をもって解決手段とする。
【００４１】
請求項３３の本発明は、生体を認証する生体認証装置の認証対象である生体に用いられる通信装置が、生体の生体的特徴を示す生体特徴情報が記憶される生体特徴情報記憶手段と、生体に接触または近接される電極と、増減前の電子マネーが記憶される電子マネー管理手段と、生体特徴情報に応じた電気信号、ならびに、増減前の電子マネーに応じた電気信号を当該電極に与える通信手段とを備え、当該通信手段は、当該電極から得られる電気信号により増減後の電子マネーを復元し、電子マネー管理手段が、増減前の電子マネーを、増減後の電子マネーに置き換えるときの当該生体認証装置であって、生体の生体部分が接触または近接されることとなる電極と、この電極から得られる電気信号により生体特徴情報、ならびに、増減前の電子マネーを復元する通信手段と、生体の生体的特徴を示す生体特徴情報を生体から直接的に得る生体特徴情報取得手段と、復元された生体特徴情報と、得られた生体特徴情報とを照合する生体特徴情報照合手段と、生体特徴情報同士が一致した場合、増減前の電子マネーを増減させる電子マネー処理手段とを備え、当該通信手段は、増減後の電子マネーに応じた電気信号を当該電極に与えることを備えることを特徴とする生体認証装置をもって解決手段とする。
【００４２】
請求項３４の本発明は、生体を認証する生体認証装置の認証対象である生体に用いられる通信装置が、生体認証装置に設けられた電極に接触または近接されることとなる生体部分の生体的特徴を示す生体特徴情報が記憶される生体特徴情報記憶手段と、生体に接触または近接される電極と、増減前の電子マネーが記憶される電子マネー管理手段と、生体特徴情報に応じた電気信号、ならびに、増減前の電子マネーに応じた電気信号を当該電極に与える通信手段とを備え、当該通信手段は、当該電極から得られる電気信号により増減後の電子マネーを復元し、電子マネー管理手段が、増減前の電子マネーを、増減後の電子マネーに置き換えるときの当該生体認証装置であって、前記生体部分が接触または近接されることとなる電極と、この電極から得られる電気信号により生体特徴情報、ならびに、増減前の電子マネーを復元する通信手段と、生体特徴情報を当該生体部分から得る生体特徴情報取得手段と、復元された生体特徴情報と、得られた生体特徴情報とを照合する生体特徴情報照合手段と、生体特徴情報同士が一致した場合、増減前の電子マネーを増減させる電子マネー処理手段とを備え、当該通信手段は、増減後の電子マネーに応じた電気信号を当該電極に与えるを備えることを特徴とする生体認証装置をもって解決手段とする。
【００４３】
請求項３５の本発明は、生体を認証する生体認証装置が、認証対象である生体の生体部分が接触または近接されることとなる電極と、この電極から得られる電気信号により生体の生体的特徴を示す生体特徴情報、ならびに、増減前の電子マネーを復元する通信手段と、生体の生体的特徴を示す生体特徴情報を生体から直接的に得る生体特徴情報取得手段と、復元された生体特徴情報と、得られた生体特徴情報とを照合する生体特徴情報照合手段と、生体特徴情報同士が一致した場合、増減前の電子マネーを増減させる電子マネー処理手段とを備え、当該通信手段は、増減後の電子マネーに応じた電気信号を当該電極に与えるときの当該生体に用いられる通信装置であって、生体の生体的特徴を示す生体特徴情報が記憶される生体特徴情報記憶手段と、生体に接触または近接される電極と、増減前の電子マネーが記憶される電子マネー管理手段と、生体特徴情報に応じた電気信号、ならびに、増減前の電子マネーに応じた電気信号を当該電極に与える通信手段とを備え、当該通信手段は、当該電極から得られる電気信号により増減後の電子マネーを復元し、電子マネー管理手段が、増減前の電子マネーを、増減後の電子マネーに置き換えることを特徴とする通信装置をもって解決手段とする。
【００４４】
請求項３６の本発明は、生体を認証する生体認証装置が、認証対象である生体の生体部分が接触または近接されることとなる電極と、この電極から得られる電気信号により生体の生体的特徴を示す生体特徴情報、ならびに、増減前の電子マネーを復元する通信手段と、生体特徴情報を当該生体部分から得る生体特徴情報取得手段と、復元された生体特徴情報と、得られた生体特徴情報とを照合する生体特徴情報照合手段と、生体特徴情報同士が一致した場合、増減前の電子マネーを増減させる電子マネー処理手段とを備え、当該通信手段は、増減後の電子マネーに応じた電気信号を当該電極に与えるときの当該生体に用いられる通信装置であって、前記生体部分の生体的特徴を示す生体特徴情報が記憶される生体特徴情報記憶手段と、生体に接触または近接される電極と、増減前の電子マネーが記憶される電子マネー管理手段と、生体特徴情報に応じた電気信号、ならびに、増減前の電子マネーに応じた電気信号を当該電極に与える通信手段とを備え、当該通信手段は、当該電極から得られる電気信号により増減後の電子マネーを復元し、電子マネー管理手段が、増減前の電子マネーを、増減後の電子マネーに置き換えることを特徴とする通信装置をもって解決手段とする。
【００４５】
請求項３７の本発明は、請求項１、２、５、６、９、１０、１３、１４、１７、１８、２１、２２、２５、２６、２９、３０、３３、３４のいずれかに記載の生体認証装置において、通信手段は、電極から得られる電気信号である電圧に応じた電界が印加されている電気光学結晶に光を入射し、偏光板により電気光学結晶からの偏光変調光を強度変調光に変換し、光検出器により強度変調光を電気信号に変換することによって、生体特徴情報を復元することを特徴とする生体認証装置をもって解決手段とする。
【発明の効果】
【００４６】
本発明によれば、生体認証装置に生体特徴情報を記憶することなく生体認証を行うことができる。
【発明を実施するための最良の形態】
【００４７】
以下、本発明の実施の形態を図面を参照して説明する。なお、同一のものには同一符号を付与し、重複説明を省略する。
【００４８】
［第１の実施の形態］
図１は、第１の実施の形態に係る生体認証システムの構成と利用形態を示す図である。
【００４９】
図１に示す通信装置１は、通常は、この通信装置１の正当なユーザＵａの人体に接触させてあるいは近接させて用いられるものであり、この種の通信装置１を電圧方式装置という。電圧方式装置である通信装置１は、図１に示すように、胸ポケットなどに入れて、あるいは、首から提げた紐に付けるなどして用いられる。一方、図示しないが、電流方式装置である通信装置１は、例えば、腕時計の裏に一部が露出し、このような構成により、人体に接触するようになっている。なお、通信装置１は、ユーザＵａの生体などつまり認証対象である生体に用いられるものだが、電話機能、電卓機能といった機能を兼ね備えるものであってもよい。
【００５０】
一方、生体認証装置２は、通信装置１を所持しているユーザＵａの生体認証を行うものであり、生体認証が成功したときには、ドアの解錠やコンピュータの起動などが行われるようになっている。
【００５１】
通信装置１は、ユーザＵａの指紋を示す生体特徴情報ＦＰａが記憶される生体特徴情報記憶部１１（生体特徴情報記憶手段）と、電極１２と、生体特徴情報記憶部１１から読み出された生体特徴情報ＦＰａに応じた電気信号を電極１２に与える通信部１３（通信手段）とを備える。
【００５２】
電圧方式装置である通信装置１の電極１２は、人体に接触あるいは近接するように構成される。電極１２を人体に近接させるべく、電極１２の人体側に絶縁物を配置してもよい。
【００５３】
一方、電流方式装置である通信装置１の電極１２は、例えば、腕時計の裏に露出させるなどして、人体に接触するように構成される。
【００５４】
生体認証装置２は、通信装置１を所持するユーザの指先の指紋を示す生体特徴情報を得る指紋センサ２１（生体特徴情報取得手段）と、電極２２と、この電極２２から得られる電気信号により生体特徴情報ＦＰａを復元する通信部２３（通信手段）と、通信部２３により復元された生体特徴情報ＦＰａと、指紋センサ２１で得られた生体特徴情報とを照合する生体特徴情報照合部２４（生体特徴情報照合手段）とを備える。
【００５５】
電圧方式装置である通信装置１とともに用いられる生体認証装置２つまり電圧方式装置である生体認証装置２の電極２２は、指紋センサ２１に配置された指先が電極２２に近接するように、例えば、指紋センサ２１の裏側に配置される。指紋センサ２１と電極２２の間に絶縁体を設けてもよい。なお、電圧方式装置である生体認証装置２の電極２２は、指紋センサ２１に配置された指先が電極２２に接触するように配置されていてもよい。
【００５６】
一方、図示しないが、電流方式装置である通信装置１とともに用いられる生体認証装置２つまり電流方式装置である生体認証装置２の電極２２は、指紋センサ２１に配置された指先が電極２２に接触するように配置される。
【００５７】
（第１の実施の形態の動作）
第１の実施の形態では、事前に、ユーザＵａの指紋を示す生体特徴情報ＦＰａが、図示しない指紋センサにより取得され、この生体特徴情報ＦＰａが生体特徴情報記憶部１１に記憶される。
【００５８】
通信装置１を所持したユーザ（ユーザＵａとは限らないのでユーザＵという）が、ドアの解錠やコンピュータの起動をさせるべく、指先を指紋センサ２１に置くと、指紋センサ２１は、静電容量方式や散乱光直接読み取り方式により、その指先の指紋を示す生体特徴情報を取得し、これを生体特徴情報照合部２４に与える。
【００５９】
また、ユーザＵの指先が指紋センサ２１に配置された状態で、通信部１３が生体特徴情報記憶部１１から生体特徴情報ＦＰａを読み出し、生体特徴情報ＦＰａに応じた電気信号を電極１２に与える。
【００６０】
通信装置１が電圧方式装置である場合、その通信部１３は、電極１２と別位置に設けられた別電極（不図示）との間に、生体特徴情報ＦＰａに応じて時間的に変化する電圧を印加する。
【００６１】
一方、通信装置１が電流方式装置である場合、その通信部１３は、腕などに接触している電極１２から、生体認証装置２を経由して、腕などの別部分に接触した別電極（不図示）へ戻るように、生体特徴情報ＦＰａに応じて時間的に変化する電流を流す。
【００６２】
通信部２３は、電極２２から得られる電気信号により生体特徴情報ＦＰａを復元する。  生体認証装置２が電圧方式装置である場合、電極２２と別位置に設けられた別電極（不図示）との間の電圧が、生体特徴情報ＦＰａに応じた時間的変化を示すので、この電圧の時間的変化を元に通信部２３が生体特徴情報ＦＰａを復元する。
【００６３】
生体認証装置２が電圧方式装置である場合をさらに詳しく説明すると、例えば、通信部２３は、光源と電気光学結晶と偏光板と光検出器を備え、電極間の電圧に応じた電界が印加されている状態の電気光学結晶に光源が光を入射し、偏光板が電気光学結晶からの偏光変調光を強度変調光に変換し、光検出器が強度変調光を電気信号に変換する。この電気信号が生体特徴情報ＦＰａに応じた時間的変化を示すので、これを二値化することで生体特徴情報ＦＰａが復元される。
【００６４】
一方、生体認証装置２が電流方式装置である場合、電極２２から大地グランドに流れる電流が、生体特徴情報ＦＰａに応じた時間的変化を示すので、この電流の時間的変化を元に通信部２３が生体特徴情報ＦＰａを復元する。
【００６５】
次に、生体特徴情報照合部２４は、通信部２３により復元された生体特徴情報ＦＰａと、指紋センサ２１で得られた生体特徴情報とを照合する。そして、生体特徴情報同士が一致したときに限り、つまり、指紋センサ２１で得られた生体特徴情報が生体特徴情報ＦＰａであったとき、つまり、ユーザＵがユーザＵａであったときに限り、生体特徴情報照合部２４は、図示しないドア制御装置やコンピュータに、ドアを解錠させる信号やコンピュータを起動させる信号を与える。これにより、ドアの解錠やコンピュータの起動がなされる。
【００６６】
以上説明したように、第１の実施の形態によれば、生体認証装置２に生体特徴情報を記憶することなく生体認証が行える。これにより、正当なユーザだけのためのドアの解錠などを行うことができる。また、指先が近接または接触する電極２２から得られる電気信号により生体特徴情報を復元するので、図６の場合と同様なユーザ動作で生体認証が行える。
【００６７】
［第２の実施の形態］
図２は、第２の実施の形態に係る生体認証システムの構成と利用形態を示す図である。  通信装置１Ａは、通信装置１と同様な態様で所持されるものであり、生体特徴情報記憶部１１、電極１２および通信部１３に加え、ユーザＵａの公開鍵Ｋｐと該公開鍵Ｋｐに対応する秘密鍵Ｋｓとが記憶される鍵記憶部１４と、この秘密鍵Ｋｓを用いて生体特徴情報ＦＰａから電子署名Ｓを生成する電子署名生成部１５を備える。通信部１３は、生体特徴情報ＦＰａに応じた電気信号、公開鍵Ｋｐに応じた電気信号ならびに電子署名Ｓに応じた電気信号を電極１２に与えるようになっている。
【００６８】
生体認証装置２Ａは、指紋センサ２１、電極２２、通信部２３および生体特徴情報照合部２４を備え、通信部２３は、生体特徴情報、公開鍵Ｋｐおよび電子署名Ｓを復元するようになっている。さらに、生体認証装置２Ａは、復元された電子署名Ｓが、復元された生体特徴情報によるものか否かを判定する電子署名検証部２５（電子署名検証手段）を備える。
【００６９】
（第２の実施の形態の動作）
第２の実施の形態では、事前に、生体特徴情報ＦＰａが生体特徴情報記憶部１１に記憶される。また、ユーザＵａの公開鍵Ｋｐおよび秘密鍵Ｋｓが鍵記憶部１４に記憶される。
【００７０】
通信装置１Ａを所持するユーザＵが、ドアの解錠やコンピュータの起動をさせるべく、指先を指紋センサ２１に置くと、指紋センサ２１は、静電容量方式や散乱光直接読み取り方式により、その指先の指紋を示す生体特徴情報を取得し、これを生体特徴情報照合部２４に与える。
【００７１】
また、電子署名生成部１５は、鍵記憶部１４から秘密鍵Ｋｓを読み出し、生体特徴情報記憶部１１から生体特徴情報ＦＰａを読み出す。電子署名生成部１５は、生体特徴情報ＦＰａのハッシュを秘密鍵Ｋｓで暗号化したのも（電子署名Ｓ）を通信部１３に与える。
【００７２】
通信部１３は、ユーザＵの指先が指紋センサ２１に配置された状態で、生体特徴情報記憶部１１から生体特徴情報ＦＰａを読み出し、鍵記憶部１４から公開鍵Ｋｐを読み出し、生体特徴情報ＦＰａに応じた電気信号、公開鍵Ｋｐに応じた電気信号ならびにに電子署名Ｓ応じた電気信号を電極１２に与える。なお、電極１２へ電気信号を与える動作は、第１の実施の形態の場合と同様であり、よって、その説明は省略する。以下においても、同様の場合の説明を適宜省略する。
【００７３】
通信部２３は、電極２２から得られる電気信号により生体特徴情報、公開鍵Ｋｐおよび電子署名Ｓを復元する。生体特徴情報ＦＰａは改ざんされる場合があり、そのため、復元された生体特徴情報は、生体特徴情報ＦＰａとは限らないので、復元された生体特徴情報を生体特徴情報ＦＰという。なお、復元の動作は、第１の実施の形態の場合と同様である。
【００７４】
次に、電子署名検証部２５が、電子署名Ｓが生体特徴情報ＦＰによるものか否かを判定する。ここでは、電子署名検証部２５が、生体特徴情報ＦＰからハッシュを生成し、電子署名Ｓを公開鍵Ｋｐで復号し、復号したハッシュと生成したハッシュとが一致するか否かを判定する。一致した場合は、電子署名Ｓが生体特徴情報ＦＰによるものと判定されたことになり、一致しない場合は、そうでないと判定されたことになる。
【００７５】
電子署名Ｓが生体特徴情報ＦＰによるものということは、通信部２３により復元されたのが生体特徴情報ＦＰａである、つまり、改ざんがなかったということであり、この場合、生体特徴情報照合部２４は、その復元された生体特徴情報ＦＰａと、指紋センサ２１で得られた生体特徴情報とを照合する。そして、生体特徴情報同士が一致したときに限り、つまり、ユーザＵがユーザＵａであったときに限り、生体特徴情報照合部２４は、図示しないドア制御装置やコンピュータに、ドアを解錠させる信号やコンピュータを起動させる信号を与える。これにより、ドアの解錠やコンピュータの起動がなされる。
【００７６】
一方、途中で生体特徴情報ＦＰａが改ざんされた場合には、ハッシュ同士が一致せず、ドアの解錠やコンピュータの起動がなされない。
【００７７】
以上説明したように、第２の実施の形態によれば、生体認証装置２Ａに生体特徴情報を記憶することなく生体認証が行える。また、電極２２から得られる電気信号により生体特徴情報を復元するので、図６の場合と同様なユーザ動作で生体認証が行える。しかも、生体特徴情報から生成された電子署名を検証するので、生体特徴情報の改ざんにより生体認証が誤って成功してしまう不都合を防止できる。
【００７８】
なお、通信装置１Ｂに、予め生体特徴情報から秘密鍵により生成された電子署名が記憶される電子署名記憶部（電子署名記憶手段）を設け、通信部１３は、そこから電子署名を読み出し、その電子署名に応じた電気信号を電極１２に与えてもよい。このときは、鍵記憶部１４には公開鍵だけを記憶させればよく、また、電子署名生成部１５が不要となる。つまり、毎回の電子署名生成が不要となる。
【００７９】
［第３の実施の形態］
図３は、第３の実施の形態に係る生体認証システムの構成と利用形態を示す図である。
【００８０】
通信装置１Ｂは、通信装置１などと同様な態様で所持されるものであり、生体特徴情報記憶部１１、電極１２、通信部１３および電子署名生成部１５に加え、ユーザＵａの属する組織の秘密鍵Ｋｓｇが記憶される秘密鍵記憶部１４ａ（鍵記憶手段）を備える。電子署名生成部１５は、この秘密鍵Ｋｓｇを用いて生体特徴情報ＦＰａから電子署名Ｓｇを生成するようになっており、通信部１３は、生体特徴情報ＦＰａに応じた電気信号ならびに電子署名Ｓｇに応じた電気信号を電極１２に与えるようになっている。
【００８１】
生体認証装置２Ｂは、指紋センサ２１、電極２２、通信部２３、生体特徴情報照合部２４および電子署名検証部２５を備え、通信部２３は、生体特徴情報および電子署名Ｓｇを復元するようになっている。さらに、生体認証装置２Ｂは、秘密鍵Ｋｓｇに対応する公開鍵Ｋｐｇが記憶される公開鍵記憶部２６（鍵記憶手段）を備える。
【００８２】
（第３の実施の形態の動作）
第３の実施の形態では、事前に、生体特徴情報ＦＰａが生体特徴情報記憶部１１に記憶される。また、ユーザＵａの属する組織などの秘密鍵Ｋｓｇが秘密鍵記憶部１４ａに記憶される。また、秘密鍵Ｋｓｇに対応する公開鍵Ｋｐｇが公開鍵記憶部２６に記憶される。
【００８３】
通信装置１Ｂを所持するユーザＵが、指先を指紋センサ２１に置くと、指紋センサ２１は、静電容量方式や散乱光直接読み取り方式により、その指先の指紋を示す生体特徴情報を取得し、これを生体特徴情報照合部２４に与える。
【００８４】
また、電子署名生成部１５は、秘密鍵記憶部１４ａから秘密鍵Ｋｓｇを読み出し、生体特徴情報記憶部１１から生体特徴情報ＦＰａを読み出す。電子署名生成部１５は、生体特徴情報ＦＰａのハッシュを秘密鍵Ｋｓｇで暗号化たもの（電子署名Ｓｇ）を通信部１３に与える。
【００８５】
通信部１３は、ユーザＵの指先が指紋センサ２１に配置された状態で、生体特徴情報記憶部１１から生体特徴情報ＦＰａを読み出し、生体特徴情報ＦＰａに応じた電気信号ならびにに電子署名Ｓｇ応じた電気信号を電極１２に与える。なお、電極１２へ電気信号を与える動作は、第１の実施の形態などの場合と同様である。
【００８６】
通信部２３は、電極２２から得られる電気信号により生体特徴情報ＦＰおよび電子署名Ｓｇを復元する。なお、復元の動作は、第１の実施の形態などの場合と同様である。
【００８７】
次に、電子署名検証部２５が、電子署名Ｓｇが生体特徴情報ＦＰによるものか否かを判定する。ここでは、電子署名検証部２５が、生体特徴情報ＦＰａからハッシュを生成し、公開鍵記憶部２６から公開鍵Ｋｐｇを読み出し、電子署名Ｓｇを公開鍵Ｋｐｇで復号し、復号したハッシュと生成したハッシュとが一致するか否かを判定する。一致した場合は、電子署名Ｓｇが生体特徴情報ＦＰによるものと判定されたことになり、一致しない場合は、そうでないと判定されたことになる。
【００８８】
電子署名Ｓｇが生体特徴情報ＦＰによるものということは、通信部２３により復元されたのが生体特徴情報ＦＰａである、つまり、改ざんがなかったということであり、この場合、生体特徴情報照合部２４は、通信部２３により復元された生体特徴情報と、指紋センサ２１で得られた生体特徴情報とを照合する。そして、生体特徴情報同士が一致したときに限り、つまり、ユーザＵがユーザＵａであったときに限り、生体特徴情報照合部２４は、図示しないドア制御装置やコンピュータに、ドアを解錠させる信号やコンピュータを起動させる信号を与える。これにより、ドアの解錠やコンピュータの起動がなされる。
【００８９】
一方、生体特徴情報の改ざんがあった場合には、ハッシュ同士が一致せず、ドアの解錠やコンピュータの起動がなされない。
【００９０】
以上説明したように、第３の実施の形態によれば、生体認証装置２Ｂが生体特徴情報を記憶することなく生体認証が行える。また、電極２２から得られる電気信号により生体特徴情報を復元するので、図６の場合と同様なユーザ動作で生体認証が行える。しかも、生体特徴情報から生成された電子署名を検証するので、生体特徴情報の改ざんにより生体認証が誤って成功してしまう不都合を防止できる。また、公開鍵を送受信しないので迅速な生体認証が行える。組織などの鍵を用いるので、鍵数を少なくでき、これにより、鍵管理が容易となる。
【００９１】
なお、通信装置１Ｂに、共通鍵が記憶される鍵記憶部（鍵記憶手段）を設け、生体認証装置２Ｂに、その共通鍵が記憶される鍵記憶部（鍵記憶手段）を設け、電子署名生成部１５が、前者の鍵記憶部から共通鍵を読み出し、その共通鍵で電子署名を生成し、電子署名検証部２５が、後者の鍵記憶部から共通鍵を読み出し、その共通鍵で電子署名の検証を行ってもよい。このときは、秘密鍵記憶部１４ｂと公開鍵記憶部２６が不要となる。
【００９２】
また、通信装置１Ｂに、予め生体特徴情報から秘密鍵や共通鍵により生成された電子署名が記憶される電子署名記憶部（電子署名記憶手段）を設け、通信部１３は、そこから電子署名を読み出し、その電子署名に応じた電気信号を電極１２に与えてもよい。このときは、秘密鍵記憶部１４ａや前者の共通鍵記憶部および電子署名生成部１５が不要となる。つまり、毎回の電子署名生成が不要となる。
【００９３】
また、鍵は組織の鍵でなく、ユーザの鍵であってもよい。
【００９４】
［第４の実施の形態］
図４は、第４の実施の形態に係る生体認証システムの構成と利用形態を示す図である。
【００９５】
通信装置１Ｃは、通信装置１などと同様な態様で所持されるものであり、生体特徴情報記憶部１１、電極１２、通信部１３、秘密鍵記憶部１４ａおよび電子署名生成部１５に加え、認証局ＣＡにより発行されたユーザＵａの公開鍵証明書ＣＫｐが記憶される公開鍵証明書記憶部１６を備える。秘密鍵記憶部１４ａには、ユーザＵａの秘密鍵Ｋｓが記憶され、電子署名生成部１５は、この秘密鍵Ｋｓを用いて生体特徴情報ＦＰａから電子署名Ｓを生成するようになっており、通信部１３は、生体特徴情報ＦＰａに応じた電気信号、公開鍵証明書ＣＫｐに応じた電気信号ならびに電子署名Ｓに応じた電気信号を電極１２に与えるようになっている。
【００９６】
生体認証装置２Ｃは、指紋センサ２１、電極２２、通信部２３、生体特徴情報照合部２４および電子署名検証部２５を備え、通信部２３は、生体特徴情報、公開鍵証明書および電子署名Ｓを復元するようになっている。さらに、生体認証装置２Ｃは、復元された公開鍵証明書の中の認証局ＣＡの電子署名が、復元された公開鍵証明書の中の公開鍵を含む部分によるものか否かを判定する電子署名検証部２７（電子署名検証手段）を備える。
【００９７】
（第４の実施の形態の動作）
第４の実施の形態では、事前に、生体特徴情報ＦＰａが生体特徴情報記憶部１１に記憶される。また、例えば、秘密鍵Ｋｓが秘密鍵記憶部１４ａに記憶される。また、秘密鍵Ｋｓに対応する公開鍵Ｋｐを含む公開鍵証明書ＣＫｐが認証局ＣＡにより発行され、公開鍵証明書記憶部１６に記憶される。公開鍵証明書ＣＫｐには、認証局ＣＡの電子署名、つまり、公開鍵証明書ＣＫｐの中の、公開鍵Ｋｐを含む部分のハッシュを認証局ＣＡの秘密鍵で暗号化したもの（電子署名）が含まれている。
【００９８】
通信装置１Ｃを所持したユーザＵが、ドアの解錠やコンピュータの起動をさせるべく、指先を指紋センサ２１に置くと、指紋センサ２１は、静電容量方式や散乱光直接読み取り方式により、その指先の指紋を示す生体特徴情報を取得し、これを生体特徴情報照合部２４に与える。
【００９９】
また、電子署名生成部１５は、秘密鍵記憶部１４ａから秘密鍵Ｋｓを読み出し、生体特徴情報記憶部１１から生体特徴情報ＦＰａを読み出す。電子署名生成部１５は、生体特徴情報ＦＰａのハッシュを秘密鍵Ｋｓで暗号化したもの（電子署名Ｓ）を通信部１３に与える。
【０１００】
通信部１３は、ユーザＵの指先が指紋センサ２１に配置された状態で、生体特徴情報記憶部１１から生体特徴情報ＦＰａを読み出し、公開鍵証明書記憶部１６から公開鍵証明書ＣＫｐを読み出し、生体特徴情報ＦＰａに応じた電気信号、公開鍵証明書ＣＫｐに応じた電気信号ならびに電子署名Ｓｇ応じた電気信号を電極１２に与える。なお、電極１２へ電気信号を与える動作は、第１の実施の形態などの場合と同様である。
【０１０１】
通信部２３は、電極２２から得られる電気信号により生体特徴情報ＦＰ、公開鍵証明書および電子署名Ｓを復元する。公開鍵証明書ＣＫｐの中の公開鍵Ｋｐは改ざんされる場合があり、復元された公開鍵証明書の中の公開鍵は公開鍵Ｋｐとは限らないので、復元された公開鍵証明書を公開鍵証明書ＣＫｐ１という。なお、復元の動作は、第１の実施の形態などの場合と同様である。
【０１０２】
次に、電子署名検証部２７が、公開鍵証明書ＣＫｐ１の中の認証局ＣＡの電子署名が、公開鍵証明書ＣＫｐ１の中の公開鍵を含む部分によるものか否かを判定する。ここでは、電子署名検証部２７が、公開鍵証明書ＣＫｐの中の、公開鍵を含む部分からハッシュを生成し、認証局ＣＡから認証局ＣＡの公開鍵を取得し、これで公開鍵証明書ＣＫｐの中の認証局ＣＡの電子署名を復号し、復号したハッシュと生成したハッシュとが一致するか否かを判定する。一致した場合は、公開鍵証明書ＣＫｐ１の中の認証局ＣＡの電子署名が、公開鍵証明書ＣＫｐ１の中の公開鍵を含む部分によるものと判定されたことになり、一致しない場合は、そうでないと判定されたことになる。
【０１０３】
公開鍵証明書ＣＫｐ１の中の認証局ＣＡの電子署名が、公開鍵証明書ＣＫｐ１の中の公開鍵を含む部分によるものということは、復元されたのが公開鍵証明書ＣＫｐである、つまり、その公開鍵証明書に含まれた公開鍵Ｋｐの改ざんがなかったということであり、この場合、電子署名検証部２５が、電子署名Ｓが生体特徴情報ＦＰによるものか否かを判定する。ここでは、電子署名検証部２５が、生体特徴情報ＦＰからハッシュを生成し、公開鍵証明書ＣＫｐ１つまり公開鍵証明書ＣＫｐから公開鍵つまり公開鍵Ｋｐを読み出し、電子署名Ｓを公開鍵Ｋｐで復号し、復号したハッシュと生成したハッシュとが一致するか否かを判定する。一致した場合は、電子署名Ｓが生体特徴情報ＦＰによるものと判定されたことになり、一致しない場合は、そうでないと判定されたことになる。
【０１０４】
電子署名Ｓが生体特徴情報ＦＰによるものということは、通信部２３により復元されたのが生体特徴情報ＦＰａである、つまり、改ざんがなかったということであり、この場合、生体特徴情報照合部２４は、その復元された生体特徴情報ＦＰａと、指紋センサ２１で得られた生体特徴情報とを照合する。そして、生体特徴情報同士が一致したときに限り、つまり、ユーザＵがユーザＵａであったときに限り、生体特徴情報照合部２４は、図示しないドア制御装置やコンピュータに、ドアを解錠させる信号やコンピュータを起動させる信号を与える。これにより、ドアの解錠やコンピュータの起動がなされる。
【０１０５】
一方、途中で生体特徴情報ＦＰａが改ざんされた場合には、ハッシュ同士が一致せず、ドアの解錠やコンピュータの起動がなされない。
【０１０６】
以上説明したように、第４の実施の形態によれば、生体認証装置２Ｃが生体特徴情報を記憶することなく生体認証が行える。また、電極２２から得られる電気信号により生体特徴情報を復元するので、図６の場合と同様なユーザ動作で生体認証が行える。しかも、生体特徴情報から生成された電子署名を検証するので、生体特徴情報の改ざんにより生体認証が誤って成功してしまう不都合を防止できる。また、公開鍵証明書の公開鍵を含む部分から生成された認証局の電子署名を検証するので、公開鍵証明書の中の公開鍵の改ざんにより生体認証が誤って成功してしまう不都合を防止できる。
【０１０７】
なお、通信装置１Ｃに、予め生体特徴情報から秘密鍵により生成された電子署名が記憶される電子署名記憶部（電子署名記憶手段）を設け、通信部１３は、そこから電子署名を読み出し、その電子署名に応じた電気信号を電極１２に与えてもよい。このときは、秘密鍵記憶部１４ａと電子署名生成部１５が不要となる。つまり、毎回の電子署名生成が不要となる。
【０１０８】
［第５の実施の形態］
図５は、第５の実施の形態に係る生体認証システムの構成と利用形態を示す図である。
【０１０９】
通信装置１Ｄは、通信装置１などと同様な態様で所持されるものであり、生体特徴情報記憶部１１、電極１２、通信部１３に加え、電子マネーを管理する電子マネー管理部１７を備える。通信部１３は、生体特徴情報に応じた電気信号ならびに電子マネーに応じた電気信号を電極１２に与え、電極１２から得られる電気信号により電子マネーを復元するようになっている。
【０１１０】
生体認証装置２Ｄは、指紋センサ２１、電極２２、通信部２３および生体特徴情報照合部２４に加え、電子マネーを増減させる電子マネー処理部２８を備え、通信部２３は、生体特徴情報および電子マネーを復元し、増減後の電子マネーに応じた電気信号を電極２２に与えるようになっている。
【０１１１】
（第５の実施の形態の動作）
第５の実施の形態では、事前に、生体特徴情報ＦＰａが生体特徴情報記憶部１１に記憶される。また、例えば、１万円に相当する電子マネーＺ１００００が電子マネー管理部１７に記憶される。
【０１１２】
通信装置１Ｄを所持するユーザＵが、５千円の買い物に電子マネーを使用すべく、指先を指紋センサ２１に置くと、指紋センサ２１は、静電容量方式や散乱光直接読み取り方式により、その指先の指紋を示す生体特徴情報を取得し、これを生体特徴情報照合部２４に与える。
【０１１３】
また、ユーザＵの指先が指紋センサ２１に配置された状態で、通信部１３が生体特徴情報記憶部１１から生体特徴情報ＦＰａを読み出し、電子マネー管理部１７から電子マネーＺ１００００を取得し、生体特徴情報ＦＰａに応じた電気信号ならびに電子マネーＺ１００００に応じた電気信号を電極１２に与える。なお、電極１２へ電気信号を与える動作は、第１の実施の形態などの場合と同様である。
【０１１４】
通信部２３は、電極２２から得られる電気信号により生体特徴情報ＦＰａおよび電子マネーＺ１００００を復元する。なお、復元の動作は、第１の実施の形態などの場合と同様である。
【０１１５】
次に、生体特徴情報照合部２４は、通信部２３により復元された生体特徴情報ＦＰａと、指紋センサ２１で得られた生体特徴情報とを照合する。そして、生体特徴情報同士が一致したときに限り、つまり、ユーザＵがユーザＵａであったときに限り、生体特徴情報照合部２４は、電子マネー処理部２８を動作させる。
【０１１６】
これにより、電子マネー処理部２８は、電子マネーＺ１００００を、５千円に相当する電子マネーＺ５０００へと減額させ、この電子マネーＺ５０００を通信部２３に与える。
【０１１７】
通信部２３は、電子マネーＺ５０００に応じた電気信号を電極２２に与える。なお、電極２２へ電気信号を与える動作は、通信部１３が電極１２へ電気信号を与える動作と同様である。
【０１１８】
通信部１３は、電極１２から得られる電気信号により電子マネーＺ５０００を復元する。なお、復元の動作は、通信部２３による復元の動作と同様である。
【０１１９】
次に、電子マネー管理部１７が、電子マネーＺ１００００を電子マネーＺ５０００に置き換える。つまり、電子マネーが減少したことになる。
【０１２０】
逆に、電子マネーを増加（チャージ）させるときは、電子マネー処理部２８が電子マネーを増加させ、通信部２３が増加後の電子マネーに応じた電気信号を電極２２に与え、それ以外については同様にすればよい。
【０１２１】
なお、第５の実施の形態では、第２、第３および第４の実施の形態で行ったようにして、電子署名の検証を行ってもよい。
【０１２２】
以上説明したように、第５の実施の形態によれば、生体認証装置２Ｄが生体特徴情報を記憶することなく生体認証が行える。また、電極２２から得られる電気信号により生体特徴情報を復元するので、図６の場合と同様なユーザ動作で生体認証が行える。しかも、生体認証が成功したときには、電子マネーを増減させることができる。つまり、ユーザＵａだけが電子マネーを使用またはチャージすることができる。
【０１２３】
なお、各実施の形態においては、照合に使用された生体特徴情報ＦＰａや、署名検証に使用された公開鍵Ｋｐや公開鍵証明書ＣＫｐを各生体認証装置２〜２Ｄが記憶し、この記憶した生体特徴情報ＦＰａや公開鍵Ｋｐや公開鍵証明書ＣＫｐを、のちの照合や署名検証や履歴管理に使用してもよい。
【０１２４】
また、各実施の形態の生体認証装置では、手のひらを配置された静脈形状センサが静脈形状を示す生体特徴情報を得るようにし、その手のひらに接触するまたは近接する電極２２から得られる電気信号により生体特徴情報を復元してもよい。
【０１２５】
また、各実施の形態の生体認証装置では、目の部分を配置された網膜形状センサや虹彩センサが網膜形状や虹彩を示す生体特徴情報を得るようにし、その目の部分に接触するまたは近接する電極２２から得られる電気信号により生体特徴情報を復元してもよい。
【０１２６】
また、各実施の形態の生体認証装置では、顔形状センサが顔形状を示す生体特徴情報を得るようにし、手などに接触するまたは近接する電極２２から得られる電気信号により生体特徴情報を復元してもよい。
【０１２７】
また、各実施の形態の生体認証装置を複数の装置で構成し、各装置を分散配置し、通信回線で接続してもよい。第１の実施の形態を例にすれば、生体特徴情報照合部２４を生体認証装置２にではなく、生体認証装置２に通信回線を介して接続された遠隔装置に設け、ドアの解錠などではなく、遠隔地でのユーザの存否確認を行ってもよい。このような、装置の分散配置により、地域規模、全国規模ひいては全世界規模での生体認証が可能となる。
【０１２８】
また、各実施の形態の通信装置や生体認証装置をコンピュータにより実現するためのコンピュータプログラムは、半導体メモリ、磁気ディスク、光ディスク、光磁気ディスク、磁気テープなどのコンピュータ読み取り可能な記録媒体に格納し、陳列などして流通させたり、当該コンピュータプログラムをインターネットなどの通信網を介して伝送させてもよい。
【図面の簡単な説明】
【０１２９】
【図１】第１の実施の形態に係る生体認証システムの構成と利用形態を示す図である。
【図２】第２の実施の形態に係る生体認証システムの構成と利用形態を示す図である。
【図３】第３の実施の形態に係る生体認証システムの構成と利用形態を示す図である。
【図４】第４の実施の形態に係る生体認証システムの構成と利用形態を示す図である。
【図５】第５の実施の形態に係る生体認証システムの構成と利用形態を示す図である。
【図６】従来の生体認証を説明するための図である。
【符号の説明】
【０１３０】
１、１Ａ、１Ｂ、１Ｃ、１Ｄ…通信装置
２、２Ａ、２Ｂ、２Ｃ、２Ｄ、２０…生体認証装置
３…情報記憶装置
１１、１１Ａ…生体特徴情報記憶部
１２、２２…電極
１３、２３…通信部
１４…鍵記憶部
１４ａ…秘密鍵記憶部
１５…電子署名生成部
１６…公開鍵証明書記憶部
１７…電子マネー管理部
２１、２１Ａ…指紋センサ
２４…生体特徴情報照合部
２５、２７…電子署名検証部
２６…公開鍵記憶部
２８…電子マネー処理部
ＣＡ…認証局
ＣＫｐ、ＣＫＰ１…公開鍵証明書
ＦＰ、ＦＰａ…生体特徴情報
Ｋｐ、Ｋｐｇ…公開鍵
Ｋｓ、Ｋｓｇ…秘密鍵
Ｓ、Ｓｇ…電子署名
Ｕ、Ｕａ…ユーザ
Ｚ１００００、Ｚ５０００…電子マネー
【図１】
2007188232.tif 000003
【図２】
2007188232.tif 000004
【図３】
2007188232.tif 000005
【図４】
2007188232.tif 000006
【図５】
2007188232.tif 000007
【図６】
2007188232.tif 000008